(57)【要約】  本発明は、ベース１０と、ベース１０から上方に延在する支持構造５０と、を有する傾斜可能なアイロン台１００を有する衣類スチーマーを有する、傾斜可能なアイロン台を有する衣類スチーマーに関する。支持構造５０は、上部５１及び下部５２と、上部５１に取り付けられたアイロン台６０と、を有する。傾斜リンク機構８０を有する傾斜構造７０が、上部５１が下部５２に対して傾斜可能であるとともに、上部５１が水平垂直の間の或る角度で下部５２から傾斜する位置で固定可能であるように、上部５１と下部５２とを接続する。傾斜リンク機構８０は、支持構造５０の上部と下部との間に並んで延在する第１及び第２のリンクアーム８３，８４を有する。第１及び第２のリンクアーム８３，８４の各々は、上部５１に旋回可能に接続された上端と、下部５２に旋回可能に接続された下端と、を持つ。第１のリンクアーム８３は、第１及び第２のリンクアーム８３，８４の各々の上端及び下端が支持構造５０の上部及び下部５１，５２周りにそれぞれ旋回された場合に、上部５１が下部５２に対して傾斜した位置をとるように、第２のリンクアーム８４よりも長い。
2017520296.tif 000002
【特許請求の範囲】
【請求項１】
ベースと、前記ベースから上方に延在する、上部及び下部を有する支持構造と、前記上部に取り付けられたアイロン台と、前記上部が前記下部に対して傾斜可能となるとともに、水平と垂直との間の或る角度で前記上部が前記下部から傾斜する位置で固定可能であるように前記上部と前記下部とを接続する傾斜リンク機構を有する傾斜構造と、を有する、傾斜可能なアイロン台を有する衣類スチーマーであって、前記傾斜リンク機構は、前記支持構造の前記上部と前記下部との間に並んで延在している第１及び第２のリンクアームを有し、前記第１及び第２のリンクアームの各々は、前記上部に旋回可能に接続された上端と前記下部に旋回可能に接続された下端とを持ち、前記第１のリンクアームは、前記第１及び第２のリンクアームの各々の前記上端及び前記下端が前記支持構造の前記上部及び前記下部周りにそれぞれ旋回された場合に、前記上部が前記下部に対して傾斜した位置をとるように、前記第２のリンクアームよりも長い、傾斜可能なアイロン台を有する衣類スチーマー。
【請求項２】
前記傾斜角度が、垂直方向に対して１５度と４５度との間にある、請求項１記載の傾斜可能なアイロン台を有する衣類スチーマー。
【請求項３】
前記ベースの両側から上方に延在する支持構造を有する、請求項１記載の傾斜可能なアイロン台を有する衣類スチーマー。
【請求項４】
前記傾斜構造が、前記支持構造の一部である、請求項１記載の傾斜可能なアイロン台を有する衣類スチーマー。
【請求項５】
前記傾斜リンク機構が、
前記支持構造の前記上部に剛結合された上部リンクと、
前記支持構造の前記下部に剛結合された底部リンクと、
を有し、
前記第１及び第２のリンクアームの前記上端の各々が、前記上部リンクに旋回可能に接続され、前記第１及び第２のリンクアームの前記下端の各々が、前記底部リンクに旋回可能に接続されている、請求項１乃至３のいずれか１項に記載の傾斜可能なアイロン台を有する衣類スチーマー。
【請求項６】
前記支持構造にマウントされるとともに、前記上部が前記下部に対して傾斜しない第１の位置において前記第１及び第２のリンクアームを保持するために、前記第１及び第２のリンクアームを囲む前記第１の位置と、前記第１及び第２のリンクアームの前記上端及び前記下端の各々が前記支持構造の前記上部及び前記下部周りにそれぞれ自由に旋回する第２の位置との間でスライド可能なスリーブを有する、請求項５記載の傾斜可能なアイロン台を有する衣類スチーマー。
【請求項７】
前記傾斜角度が、前記第１及び第２のリンクアームの長さにおける差によって決定される、請求項６記載の傾斜可能なアイロン台を有する衣類スチーマー。
【請求項８】
前記上部リンクが、前記支持構造の前記上部の一部である、請求項６記載の傾斜可能なアイロン台を有する衣類スチーマー。
【請求項９】
前記底部リンクが、前記支持構造の前記下部の一部である、請求項６記載の傾斜可能なアイロン台を有する衣類スチーマー。
【請求項１０】
傾斜可能なアイロン台を有する衣類スチーマーであって、
ベースと、
前記ベースから上方に延在する、上部及び下部を有する支持構造と、
前記上部に取り付けられたアイロン台と、
前記上部が前記下部に対して傾斜可能となるとともに、水平と垂直との間の或る角度で前記上部が前記下部から傾斜する位置で固定可能であるように前記上部と前記下部とを接続する傾斜リンク機構を有する傾斜構造と、
を有し、
前記傾斜リンク機構が、
丸みを帯びた端部と前記丸みを帯びた端部において放射状に規定される複数の凹部とを有する下位リンクに旋回可能に接続される上位リンクと、
前記上位リンクの内側に配置されるとともに、プランジャが前記複数の凹部の１つに位置決めされた場合に、前記上位リンクを前記下位リンクに対して傾斜した位置でロックするために前記プランジャが前記凹部に位置するように、前記下位リンクの前記丸みを帯びた端部に対して付勢されるばね荷重プランジャと、
を有する、衣類スチーマー。
【請求項１１】
前記上位リンクの内側の前記プランジャの端部が、リリースボタンに接続され、前記リリースボタンが、凹部から前記プランジャをリリースするように動作可能である、請求項１０記載の衣類スチーマー。
【請求項１２】
前記上位リンクが、前記支持構造の前記上部と一体化される、又は、剛結合される、請求項１０又は１１に記載の衣類スチーマー。
【請求項１３】
前記下位リンクが、前記支持構造の前記下部と一体化される、又は、剛結合される、請求項１０乃至１２のいずれか１項に記載の衣類スチーマー。
【請求項１４】
前記傾斜角度が、前記凹部と前記垂直方向との間の角度によって決定される、請求項１０乃至１３のいずれか１項に記載の傾斜可能なアイロン台を有する衣類スチーマー。
【請求項１５】
ばね筐体が、前記上位リンクの内側に固定され、前記プランジャが、前記ばね筐体を通じて延在し、ばねが、前記ばね筐体に収容されるとともに、前記プランジャにばね力を付与するために、前記ばね筐体の内面と前記プランジャ上のショルダとの間に配置される、請求項１０乃至１４のいずれか１項に記載の傾斜可能なアイロン台を有する衣類スチーマー。
【発明の詳細な説明】
【技術分野】
【０００１】
本発明は、衣類スチーマーに関し、特に、傾斜可能なアイロン台を有する衣類スチーマーに関する。
【背景技術】
【０００２】
従来の衣類スチーマーは、しわを除去する便利な方法を提供する。しかしながら、従来のアイロン方法と比較した場合、吊られた衣類を支持するものがないため、しわ除去性能のレベルは極めて低い。頑固なしわは、衣類を支持するための水平板を用いる従来のアイロン方法のプロセスと同様には伸ばすことができない。
【０００３】
図１によれば、上記問題を解決しようとする衣類スチーマー２００が提案されている。スタンド型衣類スチーマー２００は、蒸気処理のための固定された垂直なアイロン台２１０を有する。しかしながら、かかる垂直なアイロン台２１０は、人間工学的ではなく、使用が困難であり、ユーザは、垂直方向で動作させる必要があり、快適ではない。さらに、かかる垂直なアイロン台２１０は、アイロン台２１０に力を付与した場合に倒れがちであり、極めて不安定である。従って、このタイプの衣類スチーマーは、しわを除去するための任意の大きな押圧を本当に支持することはできない。
【０００４】
マルチ機能用途のためのアイロン台が、米国特許出願公開第２０１０／００９５５６５号から知られている。この文書は、ベースと、柱によってベースに接続された作業面を具備する本体と、を持つアイロン台を開示している。当該柱は、柱に対して垂直に延在する傾斜軸回りに本体を傾斜させるための傾斜手段を持つ。
【発明の概要】
【発明が解決しようとする課題】
【０００５】
本発明の目的は、支持構造に対して傾斜され得る傾斜可能なアイロン台を有する安定且つ小型の衣類スチーマーを提供することである。
【課題を解決するための手段】
【０００６】
本発明は、独立請求項によって規定されている。従属請求項は、好適な実施形態を規定している。
【０００７】
本発明によれば、ベースと、前記ベースから上方に延在する、上部及び下部を有する支持構造と、前記上部に取り付けられたアイロン台と、前記上部が前記下部に対して傾斜可能となるとともに、水平と垂直との間の或る角度で前記上部が前記下部から傾斜する位置で固定可能であるように前記上部と前記下部とを接続する傾斜リンク機構を有する傾斜構造と、を有する、傾斜可能なアイロン台を有する衣類スチーマーであって、前記傾斜リンク機構は、前記支持構造の前記上部と前記下部との間に並んで延在している第１及び第２のリンクアームを有し、前記第１及び第２のリンクアームの各々は、前記上部に旋回可能に接続された上端と前記下部に旋回可能に接続された下端とを持ち、前記第１のリンクアームは、前記第１及び第２のリンクアームの各々の前記上端及び前記下端が前記支持構造の前記上部及び前記下部周りにそれぞれ旋回された場合に、前記上部が前記下部に対して傾斜した位置をとるように、前記第２のリンクアームよりも長い、傾斜可能なアイロン台を有する衣類スチーマーが提供される。
【０００８】
好適には、傾斜角度は、垂直方向に対して１５度乃至４５度の間にあり、支持構造は、ベースの両側から上方に延在している。傾斜構造は、支持構造の一部であってもよい。
【０００９】
本発明の第１の実施形態によれば、傾斜リンク機構が、前記支持構造の前記上部に剛結合された上部リンクと、前記支持構造の前記下部に剛結合された底部リンクと、を有し、前記第１及び第２のリンクアームの前記上端の各々が、前記上部リンクに旋回可能に接続され、前記第１及び第２のリンクアームの前記下端の各々が、前記底部リンクに旋回可能に接続されている。
【００１０】
好ましい実施形態では、衣類スチーマーは、支持構造にマウントされるとともに、上部が下部に対して傾斜しない第１の位置において第１及び第２のリンクアームを保持するために、第１及び第２のリンクアームを囲む第１の位置と、第１及び第２のリンクアームの上端及び下端の各々が支持構造の上部及び下部周りにそれぞれ自由に旋回する第２の位置との間でスライド可能なスリーブを有する。傾斜角度は、第１及び第２のリンクアームの長さにおける差によって決定されてもよい。好ましくは、上部リンクは、支持構造の上部の一部であり、底部リンクは、支持構造の下部の一部である。
【００１１】
本発明の第２の実施形態によれば、傾斜可能なアイロン台を有する衣類スチーマーであって、ベースと、前記ベースから上方に延在する、上部及び下部を有する支持構造と、前記上部に取り付けられたアイロン台と、前記上部が前記下部に対して傾斜可能となるとともに、水平と垂直との間の或る角度で前記上部が前記下部から傾斜する位置で固定可能であるように前記上部と前記下部とを接続する傾斜リンク機構を有する傾斜構造と、を有し、前記傾斜リンク機構が、丸みを帯びた端部と前記丸みを帯びた端部において放射状に規定される複数の凹部とを有する下位リンクに旋回可能に接続される上位リンクと、前記上位リンクの内側に配置されるとともに、プランジャが前記複数の凹部の１つに位置決めされた場合に、前記上位リンクを前記下位リンクに対して傾斜した位置でロックするために前記プランジャが前記凹部に位置するように、前記下位リンクの前記丸みを帯びた端部に対して付勢されるばね荷重プランジャと、を有する、衣類スチーマーが提供される。
【００１２】
上部リンクは、支持構造の上部と一体化される、又は、剛結合されてもよい。また、下位リンクは、支持構造の下部と一体化される、又は、剛結合されてもよい。
【００１３】
傾斜角度は、凹部と垂直方向との間の角度によって決定されてもよい。或る実施形態では、ばね筐体が、上位リンクの内側に固定され、プランジャが、ばね筐体を通じて延在し、ばねが、ばね筐体に収容されるとともに、プランジャにばね力を付与するために、ばね筐体の内面とプランジャ上のショルダとの間に配置される。
【００１４】
本発明の傾斜構造によって、衣類スチーマーのアイロン台が、ユーザがスチーマーを快適に操作できるように、支持構造の下部に対して傾斜されることができる。傾斜角度は、第１の傾斜リンク機構を採用することによって固定されてもよく、あるいは、傾斜角度は、第２の傾斜リンク機構を採用することによって調整可能であってもよい。傾斜可能なアイロン台を有する衣類スチーマーの支持構造は、ベースの両側から上方に延在する一組の支持柱として実装されてもよく、これにより、スチーマーは、力がアイロン台に付与される場合に安定的に立つことができる。また、選択された大きさの台は、スチーマーの安定度を強化することができる。支持構造は、好ましくは、使用されない場合に格納可能な構造として実装されてもよく、格納場所を節約するために、傾斜構造は、支持構造とともに格納されてもよい。
【００１５】
本発明の詳細な説明及び他の態様が、以下に与えられる。
【図面の簡単な説明】
【００１６】
本発明の特別な態様が、同一の部分又はサブステップが同じ態様で示されている添付の図面と関連して、ここで説明及び議論される実施形態を参照して、説明される。
【図１】図１は、従来技術から知られている固定の垂直なアイロン台を具備する衣類スチーマーを示している。
【図２】図２は、本発明に係る傾斜構造により傾斜され得るアイロン台を有する傾斜可能なアイロン台を具備する衣類スチーマーを示している。
【図３】図３は、本発明の傾斜構造の第１の実施形態を示している。
【図４Ａ】図４Ａは、図３に示される第１の傾斜リンク機構の傾斜プロセスを示している。
【図４Ｂ】図４Ｂは、図３に示される第１の傾斜リンク機構の傾斜プロセスを示している。
【図４Ｃ】図４Ｃは、図３に示される第１の傾斜リンク機構の傾斜プロセスを示している。
【図５Ａ】図５Ａは、本発明の傾斜構造の第２の実施形態を示している。
【図５Ｂ】図５Ｂは、本発明の傾斜構造の第２の実施形態を示している。
【図５Ｃ】図５Ｃは、本発明の傾斜構造の第２の実施形態を示している。
【発明を実施するための形態】
【００１７】
衣類スチーマーを動作する際に、ユーザに快適さを感じさせるため、そのアイロン台は、人間工学的であることを要する。つまり、アイロン台が、特定の角度で傾斜され得ることを要する。
【００１８】
図２によれば、本発明は、上記要件を満たすために、傾斜可能なアイロン台を有する衣類スチーマーを提案する。傾斜可能なアイロン台を有する衣類スチーマー１００は、ベース１０を有する。スチーム生成器２０が、ベース１０に取り付けられる、又は、ベース１０から離れて配置される。スチーマーヘッド３０が、スチームホース４０によってスチーム生成器２０に接続されている。支持構造５０が、ベース１０から上方に延在している。この支持構造５０は、柱であってもよい。好ましい実施形態では、２つの柱がベース１０の両側から上方に延在しており、この柱は、好ましくは、衣類スチーマーを小型化するために、使用中出ない場合は、格納され得るように、格納可能である。柱の数及び位置は、そのサイズ、安定度の要件、及び、他の検討事項に応じて変えられることができることが理解可能である。
【００１９】
支持構造５０は、上部５１と、下部５２と、を持つ。上部５１及び下部５２は、傾斜構造７０により接続されている。本発明の好ましい実施形態では、傾斜構造７０は、支持構造５０の一部である。本発明の代替的な実施形態では、傾斜構造７０は、支持構造５０の上部５１及び下部５２に取り付けられる別個のコンポーネントである。
【００２０】
本発明の好ましい実施形態では、アイロン台６０が、支持構造５０の上部５２に取り付けられる。従って、アイロン台６０は、上部５２とともに移動する。傾斜構造７０は、支持構造５０の上部５１が、支持構造５０の下部５２に対して傾斜されるとともに、上部５１が下部５２から水平と垂直との間の或る角度で傾斜される位置において固定され得るように、支持構造５０に接続されている。支持構造５０の上部５１への取り付けとともに、上部５１と一緒に移動することの結果として、アイロン台６０は、支持構造５０の下部５２から水平と垂直との間の或る角度で傾斜される。アイロン台６０は、完全な台であってもよいし、小型化を考慮して、半分の台、又は、ベース１０の設置面積内のサイズを有する台であってもよい。
【００２１】
図３は、第１の傾斜リンク機構８０としてここでは説明される、傾斜構造７０の第１の実施形態を示している。
【００２２】
第１の傾斜リンク機構８０は、上部リンク８１と、底部リンク８２と、前部リンク８３と、後部リンク８４と、スリーブ８５と、を有する。支持構造５０の上部５１は、上部リンク８１に剛結合されている。また、支持構造５０の下部５２は、底部リンク８２に剛結合されている。好ましい実施形態では、上部リンク８１は、支持構造５０の上部５１の一部であり、底部リンク８２は、支持構造５０の下部５２の一部である。代替的な実施形態では、上部リンク８１及び底部リンク８２は、上部５１及び下部５２にそれぞれ剛結合される別個のコンポーネントである。
【００２３】
前部リンク８３及び後部リンク８４は、それぞれ、上部リンク８１の下端及び底部リンク８２の上端に旋回可能に接続されている。前部リンク８３の端部と後部リンク８４の端部との間には高低差があり、ここで、上部リンク８１又は底部リンク８２を接続している。従って、旋回時には、前部リンク８３及び後部リンク８４は、前部リンク８３及び後部リンク８４にそれぞれ接続する上部リンク８１と底部リンク８２との間の傾斜角度を規定する段差を形成する。支持構造５０の上部５１が上部リンク８１に剛結合されるとともに、支持構造５０の下部５２が底部リンク８２に剛結合されるため、支持構造５０の上部５１は、支持構造５０の下部５２から上記の高低差によって規定される所定の傾斜角度で傾斜される。さらに、支持構造５０の上部５１に取り付けられたアイロン台６０が、上部５１と一緒に移動し、従って、支持構造５０の下部５２から上記高低差によって規定される所定の傾斜角度で傾斜される。高低差を変化させることによって、傾斜角度は、水平と垂直との間へ変化し得る。ユーザのスチーム動作のために快適な傾斜角度は、一般的に、１５度乃至４５度であり、好ましくは、３０度である。
【００２４】
スリーブ８５は、垂直位置において、上部リンク８１、底部リンク８２、前部リンク８３、及び、後部リンク８４を囲んで、スライド可能に配置されている。上部リンク８１、底部リンク８２、前部リンク８３、及び、後部リンク８４の全体的な外形寸法は、垂直位置において、スリーブ８５の内部開口よりも小さい。これは、スリーブ８５が、上部リンク８１、底部リンク８２、前部リンク８３、及び、後部リンク８４に沿って、上又は下にスライドすることを可能にする。スリーブ８５が、前部リンク８３及び後部リンク８４を囲む第１の位置にスライドする場合、前部リンク８３及び後部リンク８４は、旋回せずに、垂直位置において実質的に保持され、スリーブ８５が、前部リンク８３及び後部リンク８４を囲まない第２の位置にスライドする場合、つまり、前部リンク８３及び後部リンク８４が、スリーブ８５から露出している場合、前部リンク８３及び後部リンク８４は、上部リンク８１と底部リンク８２との間、ひいては、支持構造５０の上部５１と下部５２との間、さらには、アイロン台６０と支持構造５０の下部５２との間の傾斜角度につながる段差が形成されるように、上部リンク８１及び底部リンク８２に対して旋回する。
【００２５】
好ましくは、スリーブ８５の全体的な外形寸法及びプロファイルは、支持構造５０のそれらと同じであり、従って、支持構造５０が格納可能な柱として実装される場合、第１の傾斜リンク機構８０全体が、コンパクトな格納のために、格納可能な柱とともに格納可能であることを可能にする。
【００２６】
図４Ａ乃至図４Ｃは、第１の傾斜リンク機構８０の傾斜プロセスを示している。図４Ａによれば、スリーブ８５は、最初は、前部リンク８３及び後部リンク８４を囲む第１の位置にあり、この場合、前部リンク８３及び後部リンク８４は、スリーブ８５内部に保持され、旋回できず、従って、第１の傾斜リンク機構８０は、垂直位置においてロックされる。第１の傾斜リンク機構８０をリリースするために、スリーブ８５は、前部リンク８３及び後部リンク８４の両方を解放する第２の位置へ上方にスライドする。図４Ｂによれば、第２の位置において、スリーブ８５は、第１の傾斜リンク機構８０の直線部を崩すために、前部リンク８３の方向へ僅かに引かれる。その後、重力のために、上部リンク８１、スリーブ８５、支持構造５０の上部５１、及び、アイロン台６０の重さが、前部リンク８３及び後部リンク８４を上部リンク８１及び底部リンク８２に対して旋回させるように働く。図４Ｃによれば、旋回が停止する場合、段差が、前部リンク８３と後部リンク８４との間に形成され、従って、上部リンク８１は、底部リンク８２に対して或る角度で傾斜される。
【００２７】
第１の傾斜リンク機構８０をリセットするために、上部リンク８１は、垂直位置へ押し上げられる。上部リンク８１、前部リンク８３、及び、後部リンク８４の間の接続のため、前部リンク８３及び後部リンク８４は、垂直位置に引き上げられる。重力のため、スリーブ８５は、上部リンク８１及び底部リンク８２を傾斜なしに垂直位置においてロックするように、前部リンク８３及び後部リンク８４を囲み、保持する位置に降下する。
【００２８】
図５Ａ乃至図５Ｃは、第２の傾斜リンク機構９０として、ここでは説明される、傾斜構造７０の第２の実施形態を示している。第１及び第２の傾斜リンク機構８０，９０は、一緒に用いられてもよいし、又は、個別に用いられてもよい。
【００２９】
第２の傾斜リンク機構９０は、上部リンク９１及び下部リンク９２を有し、上部リンク９１は、ピボット９３を介して、下部リンク９２に旋回可能に接続されている。支持構造５０の上部５１は、上部リンク９１に剛結合されており、下部５２は、下部リンク９２に剛結合されている。好ましい実施形態では、上部リンク９１は、支持構造５０の上部５１の一部であり、下部リンク９２は、支持構造５０の下部５２の一部である。代替的な実施形態では、上部リンク９１及び下部リンク９２は、支持構造５０の上部５１及び下部５２にそれぞれ剛結合される別個のコンポーネントである。
【００３０】
下部リンク９２は、下部リンク９２が上部リンク９１に接続された場合に上部リンク９１に対向する丸みを帯びた端部９２１を有する。複数の凹部９２２が、丸みを帯びた端部９２１において放射状に規定されている。上部リンク９１の内側には、ばね筐体９４が、上部リンク９１の底部において固定されている。プランジャ９６が、ばね筐体９４を通じて延在し、プランジャ９６の一端が、上部リンク９１の表面上に配置されたリリースボタン９７に固定されており、プランジャ９６の他端が、下部リンク９２の丸みを帯びた端部９２１に沿って乗っている。プランジャ９６は、ショルダ９６１を有する。ばね９５が、ばね筐体９４に収容され、一端が、ばね筐体９４の内面に対して隣接しており、他端が、プランジャ９６のショルダ９６１に対して隣接している。
【００３１】
上部リンク９１が、下部リンク９２に対して旋回する場合、プランジャ９６は、下部リンク９２の丸みを帯びた端部９２１に沿って乗り、プランジャ９６が、凹部９２２の１つに位置決めされる場合、プランジャ９６は、凹部９２２の中に差し込むために、ばね９５によって押される。この場合、上部リンク９１は、傾斜角度で下部リンク９２に対して傾斜される位置においてロックされる。支持構造５０の上部５１が、上部リンク９１に剛結合されており、支持構造５０の下部５２が、下部リンク９２に剛結合されているため、支持構造５０の上部５１は、支持構造５０の下部５２から、凹部９２２と垂直方向との間の角度で規定される傾斜角度で傾斜される。さらに、支持構造５０の上部５１に取り付けられるアイロン台６０は、上部５１とともに移動するため、アイロン台６０は、凹部９２２と垂直方向との間の角度によって規定される角度で支持構造５０の下部５２から傾斜される。傾斜角度は、異なる凹部９２２に対してプランジャ９６を位置決めすることによって調整され得る。垂直位置に対して上部リンク９１及び下部リンク９２をリセットするため、リリースボタン９７が、上方に押され、ばね９５が、圧縮されて、プランジャ９６が、凹部９２２からリリースされる。好ましくは、凹部９２２は、上部リンク９１及び下部リンク９２が、垂直位置にリセットされる場合に、それらが当該凹部９２２に差し込むプランジャ９６によってロックされるように垂直方向において規定される。
【００３２】
本発明のアイロン台６０の幅は、好ましくは、傾斜可能なアイロン台を有する衣類スチーマー１００のハンガーの幅と等しい。アイロン台６０の長さは、好ましくは、シャツなどの典型的な上着の長さ以下である。
【００３３】
上述の実施形態は、例示目的でしかなく、本発明の技術アプローチを限定する意図はない。本発明が、好適な実施形態を参照して詳述されているが、当該技術分野における当業者は、本発明の特許請求の範囲の保護範囲内である本発明の技術アプローチが、本発明の技術アプローチの概念及び範囲を逸脱することなく、修正され、又は、等しく置き換えられ得ることを理解する。請求項において、「有する」なる用語は、他の要素又はステップを除外せず、単数形は、複数あることを除外しない。請求項中の任意の参照符号は、本発明の範囲を限定するものとして解釈されるべきではない。
【図１】
2017520296.tif 000003
【図２】
2017520296.tif 000004
【図３】
2017520296.tif 000005
【図４Ａ】
2017520296.tif 000006
【図４Ｂ】
2017520296.tif 000007
【図４Ｃ】
2017520296.tif 000008
【図５Ａ】
2017520296.tif 000009
【図５Ｂ】
2017520296.tif 000010
【図５Ｃ】
2017520296.tif 000011
【手続補正書】
【提出日】平成29年6月16日(2017.6.16)
【手続補正１】
【補正対象書類名】特許請求の範囲
【補正対象項目名】全文
【補正方法】変更
【補正の内容】
【特許請求の範囲】
【請求項１】
ベースと、前記ベースから上方に延在する、上部及び下部を有する支持構造と、前記上部に取り付けられたアイロン台と、前記上部が前記下部に対して傾斜可能となるとともに、水平と垂直との間の或る角度で前記上部が前記下部から傾斜する位置で固定可能であるように前記上部と前記下部とを接続する傾斜リンク機構を有する傾斜構造と、を有する、傾斜可能なアイロン台を有する衣類スチーマーであって、前記傾斜リンク機構は、前記支持構造の前記上部と前記下部との間に並んで延在している第１及び第２のリンクアームを有し、前記第１及び第２のリンクアームの各々は、前記上部に旋回可能に接続された上端と前記下部に旋回可能に接続された下端とを持ち、前記第１のリンクアームは、前記第１及び第２のリンクアームの各々の前記上端及び前記下端が前記支持構造の前記上部及び前記下部周りにそれぞれ旋回された場合に、前記上部が前記下部に対して傾斜した位置をとるように、前記第２のリンクアームよりも長く、
前記支持構造にマウントされるとともに、前記上部が前記下部に対して傾斜しない第１の位置において前記第１及び第２のリンクアームを保持するために、前記第１及び第２のリンクアームを囲む前記第１の位置と、前記第１及び第２のリンクアームの前記上端及び前記下端の各々が前記支持構造の前記上部及び前記下部周りにそれぞれ自由に旋回する第２の位置との間でスライド可能なスリーブを有する、傾斜可能なアイロン台を有する衣類スチーマー。
【請求項２】
前記傾斜角度が、垂直方向に対して１５度と４５度との間にある、請求項１記載の傾斜可能なアイロン台を有する衣類スチーマー。
【請求項３】
前記ベースの両側から上方に延在する支持構造を有する、請求項１記載の傾斜可能なアイロン台を有する衣類スチーマー。
【請求項４】
前記傾斜構造が、前記支持構造の一部である、請求項１記載の傾斜可能なアイロン台を有する衣類スチーマー。
【請求項５】
前記傾斜リンク機構が、
前記支持構造の前記上部に剛結合された上部リンクと、
前記支持構造の前記下部に剛結合された底部リンクと、
を有し、
前記第１及び第２のリンクアームの前記上端の各々が、前記上部リンクに旋回可能に接続され、前記第１及び第２のリンクアームの前記下端の各々が、前記底部リンクに旋回可能に接続されている、請求項１乃至３のいずれか１項に記載の傾斜可能なアイロン台を有する衣類スチーマー。
【請求項６】
前記傾斜角度が、前記第１及び第２のリンクアームの長さにおける差によって決定される、請求項５記載の傾斜可能なアイロン台を有する衣類スチーマー。
【請求項７】
前記上部リンクが、前記支持構造の前記上部の一部である、請求項５記載の傾斜可能なアイロン台を有する衣類スチーマー。
【請求項８】
前記底部リンクが、前記支持構造の前記下部の一部である、請求項５記載の傾斜可能なアイロン台を有する衣類スチーマー。
【国際調査報告】
2017520296.tif 000012
2017520296.tif 000013